(57)【特許請求の範囲】
【請求項１】
空調対象室の天井面の空気吸込口の直下に取り付けて気流を整流するための器具であって、
空気吸込口に取り付けられる正方形又は長方形の枠材とこの枠材から下方に垂下する多数の垂直板材とを備え、
前記多数の垂直板材は格子状に連結配置され、
各垂直板材は概ね等しい垂直寸法を有しており、
前記枠材にはねじ等を用いて天井面に取り付けるための孔又は凹所が設けられていることを特徴とする空調対象室の熱排気を効率よく捕獲するための空調吸込口取付用整流器具。
【発明の詳細な説明】
【技術分野】
【０００１】
本発明は、建物内の一般空調対象室や高負荷熱機器のある部屋等の天井面の空気吸込口に取り付けて気流を整流するための器具に関する。
【背景技術】
【０００２】
建物内の一般空調対象室や高負荷熱機器のある部屋等の天井面に設けられる空気吸込口には、空気吸込用のルーバ・円形金具・天井リターンチャンバなどの天井設置器具が取り付けられているが、従来の天井設置器具では室内の高負荷発熱機器、例えば電算機器や半導体製造装置、などから排出される熱排気を充分に捕獲することができず、高温の熱排気が室内に拡散したり、室内の一部に充満する傾向があった。天井面のルーバや円形金具を大きくした場合には、空気抵抗が増大し、部分抵抗を調整することが困難になる。結局、従来の天井設置器具では非効率的な空調となっていた。
【０００３】
本発明と関連する従来技術として次のようなものがある。
【特許文献１】特開２００１−１２４３８６「クリーンルーム」では、クリーンルーム室内に製造装置等の発熱負荷が設置され、天井面に設けられた吹き出し口から室内へと空調空気が供給されている。
【発明の開示】
【発明が解決しようとする課題】
【０００４】
本発明の主たる目的は、空調対象室の天井面の空気吸込口の直下に取り付けて気流を整流する器具を提供することにより、熱排気を効率よく捕獲し、空調の熱効率を高め、省エネルギを図ることにある。
【課題を解決するための手段】
【０００５】
前述した課題を解決するため、本発明は空調対象室の天井面の空気吸込口の直下に取り付けて気流を整流するための器具であって、空気吸込口に取り付けられる正方形又は長方形の枠材とこの枠材から下方に垂下する多数の垂直板材とを備え、前記多数の垂直板材は格子状に連結配置され、各垂直板材は概ね等しい垂直寸法を有しており、前記枠材にはねじ等を用いて天井面に取り付けるための孔又は凹所が設けられている、空調対象室の熱排気を効率よく捕獲するための空調吸込口取付用整流器具を提供する。
【発明の効果】
【０００６】
かかる簡便な構造の整流器具を天井面の空気吸込口の直下に取り付けることにより、周囲に拡散しがちな熱排気を捕獲することが容易になり、熱の室内拡散による非効率な空調と室内環境を改善することができる。
大きな吸込口のサイズに対しては、複数の整流器具を並べて最適な個数を設置することにより、その吸込口における空気抵抗や風量が最適になるように調整することが可能になる。
【０００７】
以下、添付図面の実施態様を参照しながら、本発明による空調吸込口取付用整流器具についてさらに説明する。
【発明を実施するための最良の形態】
【０００８】
図１は本発明による好適な空調吸込口取付用整流器具を表しており、図１Ａは整流器具の全体を表す斜視図、図１Ｂは４個の整流器具を隣接配置して組み立てた斜視図、図１Ｃと図１Ｄは垂直平板の構造の例をそれぞれ表している。図２は本発明による整流器具を設置した空調対象室の例を表している。
【０００９】
図１において、本発明による空調吸込口取付用整流器具１０は、正方形又は長方形の枠材１２と、枠材１２から下方に垂下する多数の垂直板材２１〜２３，３１〜３４とを備えている。これら多数の垂直板材は格子状に連結配置されており、各垂直板材は概ね等しい垂直寸法を有している。枠材１２にはねじ等を用いて天井面に取り付けるための孔１４又は凹所１６が設けられている。かくして、この整流器具１０は、格子の隙間から垂直方向に気流が流れることが可能に作られている。各垂直板材の垂直寸法Ｈは、天井面から室内の高負荷発熱器具の上面付近まで延伸する長さとすることが望ましい。
【００１０】
この整流器具１０は単独で天井面の吸込口の直下に設置することもできるが、吸込口が大きなサイズの場合や、特定の方向への気流を調節したいような場合には、図１Ｂに示すように、複数の整流器具１０を隣接させて設置することもできる。複数の整流器具１０を並べて最適な個数を設置することにより、その吸込口における空気抵抗や風量が最適になるように調整することができる。
【００１１】
図１Ｃ，図１Ｄは、垂直板材を交差連結する方法として、交差する垂直板材、例えば垂直板材２１，２２，２３の上半分にそれぞれ３連のスリット２５を形成し、これらと交差する垂直板材３２，３３，３４の下半分にそれぞれ３連のスリット３５を形成し、これらのスリットを嵌め合わせ、必要に応じて接着することにより、交差連結された格子状の整流器具１０を形成することができる。
【００１２】
図２は本発明による整流器具１０を設置した空調対象室の例を表しており、空調対象室４０の上下に天井内チャンバ４２とプレナム室４４が配置されている。天井内チャンバ４２内の還気（ＲＡ）は配管５０を通じてエアハンドリングユニット（ＡＨＵ）５２へと送られ、エアハンドリングユニット５２からの給気（ＳＡ）はプレナム室４４を介して空調対象室４０へと導入される。給気は、室内に設置された高負荷発熱機器５４を通過して放熱を吸収し、天井面４６へと向かう。なお、エアハンドリングユニット（ＡＨＵ）は、一般に、送風機・冷却コイル・加熱コイル・加湿器・エアフィルタ等で構成される周知の設備である。
【００１３】
天井面の吸込口４８の下面には、本発明による整流器具１０が、枠材１２に形成された孔１４又は凹所１６を利用してねじ止め等により設置されているので、天井面４６に向かった空気は周囲に拡散することなく整流器具１０を通過して天井内チャンバ４２へと送られることになる。各垂直板材の垂直寸法Ｈ（図１Ａ）は、天井面から室内の高負荷発熱器具５４の上面付近まで延伸する長さとすることが望ましい。かくして、熱排気を捕獲することが容易になり、熱の室内拡散による非効率な空調と室内環境を改善することができる。吸込口４８のサイズが大きい場合は、複数の整流器具１０を並べて最適な個数を設置することにより、その吸込口における空気抵抗や風量が最適になるように調整することができる。
【産業上の利用可能性】
【００１４】
以上、詳細に説明したように、本発明によれば、簡便な構造の整流器具を天井面の空気吸込口の直下に取り付けることにより、周囲に拡散しがちな熱排気を捕獲することが容易になり、熱の室内拡散による非効率な空調と室内環境を改善することができる。大きな吸込口のサイズに対しては、複数の整流器具を並べて最適な個数を設置することにより、その吸込口における空気抵抗や風量が最適になるように調整することが可能になるなど、その技術的効果にはきわめて顕著なものがある。
【図面の簡単な説明】
【００１５】
【図１】本発明による空調吸込口取付用整流器具を表す斜視図。
【図２】本発明による整流器具を取り付けた空調対象室の縦断面図。
【符号の説明】
【００１６】
１０    整流器具                      １２    枠材
１４    孔                            １６    凹所
２１〜２３  垂直板材                  ３１〜３４  垂直板材
４０    空調対象室                    ４２    天井内チャンバ
４４    プレナム室                    ４６    天井
４８    空気吸込口
【図１】
0004834689.tif 000002
【図２】
0004834689.tif 000003